(57)【要約】      （修正有）【課題】人体の形状に沿うように密着させて装着することが可能なプロテクターを提供する。【解決手段】人体の胸部及び前腹部を保護する中央保護部材２と、中央保護部材２から左右側方へ突出状に縫着されて人体の横腹部を保護する左右一対の側方保護部材３，３と、を設けた。上記中央保護部材２と上記側方保護部材３とを相互に縫着した縦接続ライン２３において、表て面側と裏面側を連通する第１通気窓部２１を、縦接続非縫製部位２９によって形成した。【選択図】図１
2011115267.tif 000002
【特許請求の範囲】
【請求項１】
人体の胸部及び前腹部を保護する中央保護部材（２）と、該中央保護部材（２）から左右側方へ突出状に縫着されて人体の横腹部を保護する左右一対の側方保護部材（３）（３）と、を有することを特徴とするプロテクター。
【請求項２】
上記中央保護部材（２）と上記側方保護部材（３）とを相互に縫着した縦接続ライン（23）において、表て面側（１ａ）と裏面側（１ｂ）を連通する第１通気窓部（21）を、縦接続非縫製部位（29）によって形成した請求項１記載のプロテクター。
【請求項３】
上記側方保護部材（３）は、相互に縫着される上保護片（３Ａ）と下保護片（３Ｂ）とを有し、上記縫着された水平状接続ライン（33）において、上記表て面側（１ａ）と上記裏面側（１ｂ）を連通する第２通気窓部（31）を、水平状接続非縫製部位（39）によって形成した請求項２記載のプロテクター。
【請求項４】
上記側方保護部材（３）は、自然状態で、裏面方向へ折れ曲がる屈曲部（30）を有する請求項１，２又は３記載のプロテクター。
【発明の詳細な説明】
【技術分野】
【０００１】
本発明は、プロテクターに関する。
【背景技術】
【０００２】
従来、選手や審判員に他者や球が直接あたらないように保護する球技用のプロテクターは、人体の上半身前面を保護する大きな一枚板状のプロテクター本体を有している（例えば、特許文献１参照）。
【先行技術文献】
【特許文献】
【０００３】
【特許文献１】登録実用新案第３０７０２４０号公報
【発明の概要】
【発明が解決しようとする課題】
【０００４】
しかし、従来のプロテクターは、大きな一枚板状に形成されているため、体の曲線に沿うように人体に密着させて装着させることが困難であった。このため、プレー中に位置ズレが発生してしまうという問題や、接触プレーの際に確実に胸部や腹部を保護できないという問題があった。また、背ベルト部材や、腰ベルト部材といったベルト部材で強く背面側へ引込むように密着させると、人体にベルト部材が食い込んで圧迫し、プレーの妨げや、使用者に不快感を与えてしまうという問題があった。
【０００５】
そこで、本発明は、人体の形状に沿うように密着させて装着することが可能なプロテクターの提供を目的とする。
【課題を解決するための手段】
【０００６】
上記目的を達成するために、本発明のプロテクターは、人体の胸部及び前腹部を保護する中央保護部材と、該中央保護部材から左右側方へ突出状に縫着されて人体の横腹部を保護する左右一対の側方保護部材と、を有するものである。
また、上記中央保護部材と上記側方保護部材とを相互に縫着した縦接続ラインにおいて、表て面側と裏面側を連通する第１通気窓部を、縦接続非縫製部位によって形成したものである。
また、上記側方保護部材は、相互に縫着される上保護片と下保護片とを有し、上記縫着された水平状接続ラインにおいて、上記表て面側と上記裏面側を連通する第２通気窓部を、水平状接続非縫製部位によって形成したものである。
また、上記側方保護部材は、自然状態で、裏面方向へ折れ曲がる屈曲部を有するものである。
【発明の効果】
【０００７】
本発明のプロテクターによれば、側方保護部材が人体の上半身（横腹部）の外形状に沿って、装着でき、位置ズレを防止できる。また、ベルト部材を強く締め付ける必要がなく、無理な締め付けによる圧迫や不快感を軽減できる。また、中央保護部材と側方保護部材の縫着により、装着の際に蒸れを軽減する通気窓部を容易に形成することができる。
【図面の簡単な説明】
【０００８】
【図１】本発明の実施の一形態の正面図である。
【図２】簡略側面図である。
【図３】要部拡大簡略底面図である。
【図４】図１のＣ−Ｃ拡大断面図である。
【図５】図１のＥ−Ｅ拡大断面図である。
【図６】図１のＦ−Ｆ拡大断面図である。
【図７】図１のＧ−Ｇ拡大断面図である。
【図８】側方保護部材の断面説明図であり、（ａ）は縫製前を示す断面説明図であり、（ｂ）は縫製後を示す断面説明図である。
【図９】説明用断面図であり、（ａ）は図１のＨ−Ｈ断面をもって示した説明用断面図であり、（ｂ）は装着状態を示す説明用断面図である。
【発明を実施するための形態】
【０００９】
以下、図示の実施の形態に基づき本発明を詳説する。
本発明のプロテクターは、野球やソフトボール等の球技の捕手（選手）や審判員の上半身を保護するものである。
図１及び図２に於て、人体（身体）の鎖骨部と胸部及び前腹部を保護する中央保護部材２と、中央保護部材２から左右側方へ突設され人体の前腹部乃至横腹部を保護する左右一対の側方保護部材３，３と、から成るプロテクター本体１を備えている。
【００１０】
つまり、人体の上半身を保護するプロテクター本体１を、人体の鎖骨部と胸部及び前腹部を保護する中央保護部材２と、中央保護部材２から左右側方へ突設され人体の前腹部乃至横腹部を保護する左右一対の側方保護部材３，３と、に３分割している。なお、本発明に於て、使用者の頭部側を「上」と呼ぶ。また、球や他者が接触してくる側を表て面側（外部側）１ａと呼び、装着した際の使用者側（使用者と対面する側）を裏面側（人体側）１ｂと呼ぶ。
【００１１】
中央保護部材２は、略逆台形状（底辺寸法が上辺寸法より小さい台形状）に形成され、左右一対の突片状肩部25，25を一体に有する。そして、中央保護部材２の左右側縁部に、略三角形状乃至台形状の側方保護部材３が、夫々縫着されている。また、中央保護部材２及び側方保護部材３は、衝撃を吸収緩和可能な複数の緩衝部材を内有し、その緩衝部材の周囲を縫製して表て面側（外部側）１ａへ突出する複数の凸部60を形成している。なお、図１乃至図３に於ては、縫製（ミシン目）部は太い破線で示し、図４乃至図９に於ては、太い実線で示している。また、凸部60及び凸部60の周囲の縫製（ミシン目）部を図示省略している場合もある。
【００１２】
図１及び図４に於て、中央保護部材２の側縁部より側方保護部材３の一方の側縁部36を裏面側１ｂに配設して重ね合わせて相互に縫着した縦接続ライン23を形成している。
なお、側方保護部材３の一方とは、プロテクター本体１又は中央保護部材２を中心として見た場合に左右内方となる方向である。
図１及び図５に示すように、縦接続ライン23において、中央保護部材２と側方保護部材３との縫着を行なわない縦接続非縫製部位29を形成し、さらに、側方保護部材３の一方の側縁部36の内、縦接続非縫製部位29に対応する部分を、その側方保護部材３の左右内方へ凹設して、表て面側１ａと、裏面側１ｂと、を連通する第１通気窓部21を形成している。
【００１３】
側方保護部材３の一方の側縁部36の内、縦接続非縫製部位29に対応する部分を、その側方保護部材３の左右内方へ凹設することで、第１通気窓部21を前後左右方向に常時開口状態に保持している。つまり、確実に通気が行われるようにしている。なお、側方保護部材３の一方の側縁部36の内、縦接続非縫製部位29に対応する部分は、中央保護部材２の左右外方に凹設されているとも言える。第１通気窓部21は、中央保護部材２の側縁部に沿って２箇所、つまり、プロテクター本体１に合計で４箇所設けている。
【００１４】
図１乃至図３於て、側方保護部材３は、相互に縫着される三角形状乃至台形状の上保護片３Ａと、矩形状の下保護片３Ｂと、を有している。言い換えると、側方保護部材３は、上保護片３Ａと下保護片３Ｂに上下方向に分割されている。プロテクター本体１は、中央保護部材２と、左右一対の上保護片３Ａ，３Ａと、左右一対の下保護片３Ｂ，３Ｂと、に５分割されているとも言える。
【００１５】
図１及び図７に於て、上保護片３Ａの下縁部34より下保護片３Ｂの上縁部35を裏面側１ｂに配設して重ね合わせて相互に縫着した水平状（横）接続ライン33を形成している。
そして、図１と図６及び図７に示すように、水平状接続ライン33において、上保護片３Ａと下保護片３Ｂとの縫着を行なわない水平状接続非縫製部位39を形成して、表て面側（外部側）１ａと、裏面側（人体側）１ｂと、を連通する第２通気窓部31を設けている。
【００１６】
上述のように、縦接続ライン23において、中央保護部材２の側縁部と、上保護片３Ａの一方の側縁部36と、が対応する範囲に、縦接続非縫製部位29（第１通気窓部21）が１箇所形成されている。また、中央保護部材２の側縁部と、下保護片３Ｂの一方の側縁部36と、が対応する範囲に、縦接続非縫製部位29（第１通気窓部21）が１箇所形成されている（図１及び図２参照）。
【００１７】
側方保護部材３（上保護片３Ａ及び下保護片３Ｂ）は、縫製前の図８（ａ）の状態から、図８（ｂ）に示すように、表て面側１ａの表被覆部材71と、裏面側１ｂの裏被覆部材72と、表被覆部材71と裏被覆部材72の間に介在される第１緩衝部材（クッション部材）73及び第２緩衝部材74と、を有している。
そして、表被覆部材71より短い裏被覆部材72で、表被覆部材71を裏面側１ｂへ引っ張り込むように、側方保護部材３の左右方向中間部を縦方向に縫製した屈曲縫製ライン37によって、屈曲部30を形成している。中央保護部材２に縫着される側の側方保護部材３の側縁部を一方の側縁部36と呼ぶと、他方の側縁部38が、自然状態で、左右内方に折れ曲がるように縫製されている。なお、第１緩衝部材73及び第２緩衝部材74は発泡プラスチック樹脂とするのが望ましい。また、表被覆部材71及び裏被覆部材72は、天然又は人工（合成）の皮革や、ナイロン系やポリエステル系の生地とするのが望ましい。
【００１８】
また、図３及び図７に示すように、上保護片３Ａの屈曲部30（30ａ）と上保護片３Ａの他方の側縁部38（38ａ）の間に、下保護片３Ｂの屈曲部30（30ｂ）を配設し、縫着（縫製）することで、上保護片３Ａの他方の側縁部38（38ａ）より下保護片３Ｂの他方の側縁部38（38ｂ）を裏面側１ｂへ接近するように設けている。つまり、上保護片３Ａを下保護片３Ｂに対して表て面側１ａへ撓ませて（膨らませて）縫着し、第２通気窓部31を上下方向に常時開口状態に保持し、確実に通気が行われるようにしている。第２通気窓部31は、１つの側方保護部材３に１箇所設けている。つまり、プロテクター本体１に合計で２箇所設けている。また、上保護片３Ａより下保護片３Ｂをプロテクター本体１の左右外方（後方）へ突出させている。
【００１９】
また、図９（ａ）に示すように、プロテクター本体１の胸部乃至腹部（前腹部及び横腹部）を保護する部分の横断面形状（図１に示す切断線Ｈ−Ｈの断面）を横倒Ｃ字乃至横倒コの字状（横倒三日月状）に形成している。また、側方保護部材３の上記横断面形状をへの字状に形成している。
【００２０】
図１に於て、中央保護部材２は、左右一対の突片状肩部25，25に、カップ状（椀型）の肩パット部材５（右肩パット部材５Ａ，左肩パット部材５Ｂ）が左右外方に突出状に縫着されている。
中央保護部材２の側縁部より肩パット部材５の一方の側縁部56を表て面側１ａに配設して重ね合わせて相互に縫着した肩接続ライン53を形成している。そして、肩接続ライン53において、中央保護部材２と肩パット部材５との縫着を行なわない肩接続非縫製部位59を形成し、表て面側１ａと、裏面側１ｂ（人体の肩部側）と、を連通する第３通気窓部51を設けている。第３通気窓部51は、合計で２箇所設けている。なお、肩パット部材５の一方とは、プロテクター本体１又は中央保護部材２を中心として見た場合に左右内方となる方向である。
【００２１】
また、プロテクター本体１には、人体に装着するためのＹ字状の肩掛け背ベルト部材６及び一文字状の腰ベルト部材７と、が取着されている。装着用のベルト部材（背ベルト部材６及び腰ベルト部材７）は、プロテクター本体１に、雌雄一対のバックル部材を介して着脱自在に取着されている。なお、ベルト部材の形状は自由である。また、背ベルト部材６及び腰ベルト部材７は、図２、図３、図９に於て図示省略している。
【００２２】
上述した本発明のプロテクターの使用方法（作用）について説明する。
使用者が、中央保護部材２を胸部及び前腹部に接触すると、図９（ａ）に示す状態から、側方保護部材３が、図９（ｂ）に、二点鎖線で示した人体の外形状に沿うように揺動し（巻き込んで）、前腹部乃至横腹部の人体の曲部に沿って密着する。また、側方保護部材３は、上保護片３Ａが人体の脇下部乃至上横腹部の形状に沿い、下保護片３Ｂが人体の腰部近傍の下横腹部に沿って、人体の側面の凹凸（曲線）に対応して確実に密着する。さらに、左右の側方保護部材３，３が、屈曲部30によって抱き込み状（挟持状）に人体の外形状に沿うように密着する。
【００２３】
即ち、ベルト部材で側方保護部材３（プロテクター本体１）を横腹部から背中側へ引き込むように強く締め付ける必要がなくなり、ベルト部材が使用者を強く圧迫せず、不快感を軽減する。容易かつ迅速に密着状に装着される。また、使用者の運動による位置ズレを確実に防止し、他者や球からの接触を確実に保護する。
【００２４】
第１通気窓部21は、図５に示す矢印61のように、装着時に発生する熱気を裏面側１ｂ（人体の胸部や前腹部及び横腹部）から表て面側１ａに送り出す。或いは、矢印62のように、外気を表て面側１ａから裏面側１ｂ（人体の胸部や前腹部及び横腹部）に取り込む。
人体の胸部及び前腹部と中央保護部材２の間に左右方向の空気（外気や熱気）の流れをつくり、かつ、人体の横腹部と側方保護部材３の間に前後方向の空気の流れをつくって、人体の胸部及び前腹部や横腹部に冷却効果をもたらす。
【００２５】
第２通気窓部31は、図６に示す矢印63のように、装着時に発生する熱気を裏面側１ｂから表て面側１ａに送り出す。或いは、矢印64のように、外気を表て面側１ａから裏面側１ｂに取り込む。使用者と側方保護部材３の間に、上下方向の空気の流れをつくり、人体の横腹部や脇下に冷却効果をもたらす。
【００２６】
第３通気窓部51は、装着時に発生する熱気を裏面側１ｂ（人体の肩部）から表て面側１ａに送り出す。或いは、外気を表て面側１ａから裏面側１ｂに取り込む。使用者と肩パット部材５の間に、左右方向の空気の流れをつくり、人体の肩部に冷却効果をもたらす。
【００２７】
即ち、第１通気窓部21と第２通気窓部31と第３通気窓部51から、装着時に発生する熱気を確実に排出させ、又は、表て面側１ａから裏面側１ｂに外気を侵入させ、蒸れを軽減し、快適にプレーできる。
【００２８】
本発明は設計変更可能であって、側方保護部材３は、上保護片３Ａと下保護片３Ｂのような２分割に限らず、上下方向に３分割或いは４分割しても良い。つまり、２分割以上とするも良い。
また、縦接続ライン23において、縦接続非縫製部位29（第１通気窓部21）を、１箇所又、又は、２箇所以上形成するも良い。水平状接続ライン33において、水平状接続非縫製部位39（第２通気窓部31）を、１箇所以上形成するも良い。肩パット部材５は、左右一方のみ、或いは、設けなくとも良い。
【００２９】
以上のように、本発明のプロテクターは、人体の胸部及び前腹部を保護する中央保護部材２と、中央保護部材２から左右側方へ突出状に縫着されて人体の横腹部を保護する左右一対の側方保護部材３，３と、を有するので、人体の太さの異なる部位に、立体的に沿うように対応して確実に密着し、前腹部及び横腹部を保護できる。密着性を向上させて位置ズレを防止し、確実に保護できる。ベルト部材（背ベルト部材６や腰ベルト部材７）を強く締め付ける必要がなく、ベルト部材による圧迫や不快感を軽減できる。中央保護部材２と側方保護部材３の縫着により、通気用の窓部（第１・第２通気窓部21，31）を容易に形成することができる。また、中央保護部材２と側方保護部材３とを夫々保護すべき部位に対応した硬さ及び形状に容易に成形できる。例えば、中央保護部材２を強度（硬度）のある押圧成形で設け、側方保護部材３を柔軟性のある縫製によって設けることができる。
【００３０】
また、中央保護部材２と上記側方保護部材３とを相互に縫着した縦接続ライン23において、表て面側１ａと裏面側１ｂを連通する第１通気窓部21を、縦接続非縫製部位29によって形成したので、使用者と、中央保護部材２及び側方保護部材３と、の間の蒸れを軽減し、使用者に快適にプレーさせることができる。使用者と、中央保護部材２及び側方保護部材３と、の間から熱気を排出できる。或いは、外気を取り込むことができる。中央保護部材２と側方保護部材３との接続と、第１通気窓部21の形成と、を縫製によって、略同時に（同工程にて）行なうことができ、容易かつ迅速に製造できる。熱気や外気を、人体の前後左右方向に流すようにでき、迅速に効率良く蒸れを防止できる。
【００３１】
また、側方保護部材３は、相互に縫着される上保護片３Ａと下保護片３Ｂとを有し、縫着された水平状接続ライン33において、表て面側１ａと裏面側１ｂを連通する第２通気窓部31を、水平状接続非縫製部位39によって形成したので、使用者に快適にプレーさせることができる。使用者と、側方保護部材３と、の間から熱気を排出できる。或いは、外気を取り込むことができる。上保護片３Ａと下保護片３Ｂとの接続と、第２通気窓部31の形成と、を縫製によって、略同時に（同工程にて）行なうことができ、容易かつ迅速に製造できる。熱気や外気を、人体の上下方向に流すようにでき、迅速に効率良く蒸れを防止できる。上保護片３Ａと下保護片３Ｂとを夫々保護すべき部位に対応した形状に成形でき、密着性を向上させて位置ズレを防止し、確実に保護できる。
【００３２】
また、側方保護部材３は、自然状態で、裏面方向へ折れ曲がる屈曲部30を有するので、より確実かつ容易に人体に沿わせて密着させることができる。ベルト部材を強く締め付ける必要がなく、横腹部を包むように裏面方向（左右内方）へ自然と密着状に保護でき、装着時間を短縮できると共に、確実に横腹部を保護できる。
【符号の説明】
【００３３】
１ａ  表て面側（外部側）
１ｂ  裏面側（人体側）
２  中央保護部材
３  側方保護部材
３Ａ  上保護片
３Ｂ  下保護片
21  第１通気窓部
23  縦接続ライン  
29  縦接続非縫製部位
30  屈曲部
31  第２通気窓部
33  水平状接続ライン
39  水平状接続非縫製部位
【図１】
2011115267.tif 000003
【図２】
2011115267.tif 000004
【図３】
2011115267.tif 000005
【図４】
2011115267.tif 000006
【図５】
2011115267.tif 000007
【図６】
2011115267.tif 000008
【図７】
2011115267.tif 000009
【図８】
2011115267.tif 000010
【図９】
2011115267.tif 000011